(57)【要約】【課題】  扉を開閉する際や開放した状態において、使用者の動作の妨げとなることや、他の設備との干渉してしまうことを防ぎ、使い勝手に優れたトイレ用収納ボックスを提供する。【解決手段】  前面に開口を有し、収納空間を画定する本体部と、前記開口を開閉可能な扉部とを備え、前記扉部は、前記本体部の前記開口を塞ぐ閉塞位置から、前記本体部の前記開口を開放する開放位置へと移動可能なトイレ用収納ボックスにおいて、前記本体部と前記扉部とは、前記閉塞位置にある前記扉部を、前記開口に沿って移動させながら前記扉部と前記本体の底面の下面とが対向する前記開放位置へと移動させる開閉機構によって連結されている。【選択図】  図１
2014188224.tif 000002
【特許請求の範囲】
【請求項１】
前面に開口を有し、
収納空間を画定する本体部と、
前記開口を開閉可能な扉部とを備え、
前記扉部は、
前記本体部の前記開口を塞ぐ閉塞位置から、
前記本体部の前記開口を開放する開放位置へと移動可能なトイレ用収納ボックスにおいて、
前記本体部と前記扉部とは、
前記閉塞位置にある前記扉部を、
前記開口に沿って移動させながら前記扉部と前記本体の底面の下面とが対向する前記開放位置へと移動させる開閉機構によって連結されていることを特徴とするトイレ用収納ボックス。
【請求項２】
前記開閉機構は、
前記本体部の側面に高さ方向から奥行き方向へと連続して形成された溝部へ、
前記扉部に形成された突起を係合することによって構成されていることを特徴とする請求項１に記載のトイレ用収納ボックス。
【発明の詳細な説明】
【技術分野】
【０００１】
本発明は、トイレットペーパーホルダー用の棚板等に取付けて用いる収納ボックスに関する。
【背景技術】
【０００２】
従来、腰掛便器横に設置されるトイレ用収納ボックスとして、トイレットペーパーホルダーなどに付属の収納ボックスや小物入れが知られており、収納物が見えないように板状の扉を設け、その扉の一辺に設けられた蝶番等を用いて開閉するのが一般的であった。このような収納ボックスとしては、例えば、特開２０１２−２２８３４１号（特許文献１）に開示されたものが知られている。
【先行技術文献】
【特許文献】
【０００３】
【特許文献１】特開２０１２−２２８３４１号広報
【発明の概要】
【発明が解決しようとする課題】
【０００４】
しかしながら、特許文献１の収納ボックスのように、扉の一辺に設けられた蝶番を用いて開閉する場合、扉を開閉する際や、開放した状態では、その扉が前方に張り出すこととなり、トイレ空間内での使用者の動作の妨げとなったり、トイレ空間に設置されている他の設備、例えば、便蓋や便座と干渉してしまうことがあった。
本発明は、上記の不具合を解消することを目的としたものであり、扉を開閉する際や開放した状態において、使用者の動作の妨げとなることや、他の設備と干渉してしまうことを防ぎ、使い勝手に優れたトイレ用収納ボックスを提供することを目的とする。
【課題を解決するための手段】
【０００５】
上記目的を達成するため、本発明に係わるトイレ用収納ボックスにおいては、前面に開口を有し、収納空間を画定する本体部と、前記開口を開閉可能な扉部とを備え、前記扉部は、前記本体部の前記開口を塞ぐ閉塞位置から、前記本体部の前記開口を開放する開放位置へと移動可能なトイレ用収納ボックスにおいて、前記本体部と前記扉部とは、前記閉塞位置にある前記扉部を、前記開口に沿って移動させながら前記扉部と前記本体の底面の下面とが対向する前記開放位置へと移動させる開閉機構によって連結されていることを特徴とする。
【０００６】
本発明においては、本体部の前面の開口を開放する際に、扉部を本体部の開口に沿って移動させることで、扉部が前方に大きく張り出すことを防止できる。また、開放位置にある扉部は、裏面が本体部の底面の下方と対向することにより、本体部の下方の空間に大きく張り出すことが防止できる。従って、扉部の開放による動作が使用者の動作の妨げとなることや、他の設備との干渉してしまうことを防ぎ、使い勝手に優れたトイレ用収納ボックスを提供することができる。
【０００７】
また、本発明においては、前記開閉機構は、前記本体部の側面に高さ方向から奥行き方向へと連続して形成された溝部へ、前記扉部に形成された突起を係合することによって構成されていることを特徴とする。
【０００８】
本体部の溝部に扉部の突起部が係合していることで、溝部を突起部がスライドしながら閉塞位置にある扉部を開放位置へ移動させることができ、簡単な構成によって開閉機構を構成することができる。
【発明の効果】
【０００９】
本発明によれば、扉部の開放による動作が使用者の動作の妨げとなることや、他の設備と干渉してしまうことを防ぎ、使い勝手に優れたトイレ用収納ボックスを提供することができる。
【図面の簡単な説明】
【００１０】
【図１】本発明の実施形態に係るトイレ用収納ボックスの斜視図である。
【図２】図１のトイレ用収納ボックスの本体部の斜視図である。
【図３】図１のトイレ用収納ボックスの扉部の斜視図である。
【図４】扉部が半開状態における斜視図である。
【図５】扉部が全開状態における斜視図である。
【発明を実施するための形態】
【００１１】
以下、図面を参照しつつ、本発明の実施の形態について説明する。図１は、発明の実施形態に係るトイレ収納ボックスの斜視図であり、図２は、図１のトイレ用収納ボックスの本体部の斜視図であり、図３は、図１のトイレ用収納ボックスの扉部の斜視図である。
【００１２】
この図１に示すように、トイレ用収納ボックス１においては、前面に開口を有し、収納空間を画定する本体部１０と、前記開口を開閉可能な扉部２０とを備えている。この扉部２０は後述するように、本体部１０の前面の開口を塞ぐ閉塞位置から、開口を開放する開放位置へと移動可能となっている。なお、この図１では、ペーパーホルダー（図示せず）が設けられたペーパーホルダー用の棚板３０の底面にトイレ用収納ボックス１が固定された状態を示している。
【００１３】
本体部１０は、図２に示すように、両側に設けられた側面板１１と、この側面板１１を繋ぐように設けられ、底面を構成する底面板１３と、トイレルームの壁面に固定される背面板１４とによって、前面に開口１２を有した状態で内部に収納空間を画定している。なお、側面板１１の前面側は、上下方向に円弧状となっている。
【００１４】
側面板１１の外側には、扉部２０を移動可能とするための開閉機構の一部となる溝部１５が設けられている。この溝部１５は、側面板１１の上下方向の中間位置において前後方向に延びる上溝部１５ａと、この上溝部１５ａの前側端から側面板１１の前面側において円弧状に下方向に延びる縦溝部１５ｂと、この縦溝部１５ｂの下端部から側面板１１の下端に沿って後方へ延びる下溝部１５ｃとから構成されている。なお、溝部１５は、側面板１１の外側面に彫られた凹溝形状に限らず、側面板１１を貫通する孔によって構成することも可能である。
【００１５】
また、本実施形態においては、本体部１０の上面は開放されており、その上面を構成する側面板１１および背面板１４の上端には、外側に広がるフランジ部１６が形成されている。これは、本実施形態におけるトイレ用収納ボックス１が、トイレルーム壁面に固定されたペーパーホルダー用の棚板３０等の他の設備機器の底面に固定されて設置されることを想定しているためであり、フランジ部１６を利用して、棚板３０の底面にビス止め、または、接着されることで、前面のみが開口した構成となる。なお、トイレ用収納ボックス１を単独で利用する際には、上面板（図示せず）をフランジ部１６に取り付けて使用すればよい。
【００１６】
扉部２０は、図３に示すように、両側面を構成する扉側面板２１と、この２枚の扉側面板２１を繋ぐ扉前面板２２によって構成されている。扉前面板２２は、本体部１０の側面板１１の前面に倣った形状となるよう、上下方向に円弧状に形成されている。
【００１７】
また、扉側面板２１の後ろ側の内側面には突起２５が設けられている。具体的には、扉側面板２１の上下方向の中央位置に設けられた上突起２５ａと、扉側面板２１の下部に設けられた下突起２５ｃとが設けられている。この突起２５が本体部１０の溝部１５に嵌り込むことで、扉部２０は本体部１０に対して移動可能となるものであり、本実施形態においては、溝部１５と突起２５とによって開閉機構が構成されている。
【００１８】
次に、このような、溝部１５と突起２５とによって構成された開閉機構の具体的な動作について説明する。図４は、扉部２０が半開状態における斜視図であり、図５は、扉部２０が全開状態における斜視図である。
【００１９】
図１における、扉部２０が開口１２を全閉状態にある位置から、扉部２０の上側を手前に引き出した状態が図４に示す扉部が半開状態となる。図１に示す状態から図４に示す状態への扉部２０の移動に際しては、上突起２５ａが上溝部１５ａに沿ってスライドすることで扉部２０は図４に示す前傾姿勢となる。具体的には、上溝部１５ａが円弧状に形成されているため、図１において下突起２５ｃが下溝部１５ｃに嵌り込んでいる位置を支点として、上突起２５ａが上溝部１５ａをスライドすることによって、扉部２０は前傾姿勢となる。
【００２０】
なお、上溝部１５ａの後端部は僅かに下側に下がった窪形状となっており、図１の状態では、上突起２５ａがその窪形状に落ち込んでいるため、図１の状態において、トイレルーム使用者がトイレ用収納ボックスに当たった程度では扉部２０が前傾してしまわないようになっている。一方、図１の状態で扉部２０を少し下方から押し上げてやると、上突起２５ａが上溝部１５ａの窪形状から脱して、扉部２０の自重によって、上溝部１５ａに沿って自然にスライドし、扉部２０は図４に示す半開状態へと移動する。
【００２１】
図４の状態から、さらに扉部２０の自重によって、上突起２５ａが縦溝部１５ｂに沿って下方にスライドするとともに、下突起２５ｃは下溝部１５ｃに沿って後方へスライドする。その結果、扉部２０は、開口１２に沿って下方に移動しながら、本体部１０の底面板１３の下側に向かって移動する。そして、上突起２５ａが、縦溝部１５ｂの下端にまで移動した状態で、扉部２０は裏面を上側に向けた状態で水平状態となり、そこから更に後方へと押し込むことで、上突起２５ａと下突起２５ｃとの両方が下溝部１５ｃに沿って後方へとスライドし、その結果、図５に示すように、扉部２０は、本体部１０の底面である底面板１３の下面と対向する位置へと移動する。その際、下突起２５ｃにくらべて上突起２５ａの扉前面板からの距離を大きくとることによって、前面からの収納物の出し入れに際して本体部開口１２を有効に利用できるような配置が可能である。
【００２２】
以上のように、本実施形態に係わるトイレ用収納ボックス１においては、本体部１０の前面の開口１２を開放する際に、扉部２０を本体部１０の開口１２に沿って下方へ移動させることで、扉部２０が前方に大きく張り出すことを防止できる。また、開放位置にある扉部２０は、裏面が本体部１０の底面の下方と対向することにより、本体部１０の下方の空間に大きく張り出すことが防止できる。従って、扉部２０の開放による動作が使用者の動作の妨げとなることや、他の設備と干渉してしまうことを防ぎ、使い勝手に優れている。
【００２３】
また、開閉機構としては、本体部１０の溝部１５と、扉部２０の突起２５とによって構成されているため、スムーズで開閉操作のしやすい扉をシンプルな構造で実現できる。
【００２４】
なお、本発明は上記した実施形態に限定されるものではなく、以下のような変形例も含むものである。
溝部２５としては、上溝部２５ａ、縦溝部２５ｂ、下溝部２５ｃによって構成したものに限らず、扉部２０の全閉状態での保持機構を本体部と扉部の係合や磁石による磁力等によって構成することで、上溝部２５ａを省略することが可能である。
また、突起として、上突起１５ａと下突起１５ｃの２つの突起の内、下突起１５ｃは省略することも可能である。
更に、開閉機構としては、突起１５と溝部２５によって構成されたものに限らず、本体部１０と扉部２０とを別のリンク機構を用いて構成することも可能である。
【符号の説明】
【００２５】
１・・・トイレ用収納ボックス
１０・・・本体部
１５・・・溝部
２０・・・扉部
２５・・・突起
【図１】
2014188224.tif 000003
【図２】
2014188224.tif 000004
【図３】
2014188224.tif 000005
【図４】
2014188224.tif 000006
【図５】
2014188224.tif 000007